(57)【特許請求の範囲】
【請求項１】
前面に開口する陳列室内に背面ダクトを介して冷気を循環することで前記陳列室内を冷却すると共に、前記背面ダクトに連通可能な中間ダクトを有する中間ダクト部材を前記陳列室内に着脱可能に取り付け、該中間ダクト部材の上下において、前記陳列室内を相互に異なる温度で使用可能とされたショーケースにおいて、
前記陳列室内に取り付けられた状態の前記中間ダクト部材より下方となる位置の前記陳列室内の温度を検出する下部温度センサと、
前記陳列室内に取り付けられた状態の前記中間ダクト部材より上方となる位置の前記陳列室内の温度を検出する上部温度センサと、
これら温度センサが接続された制御装置と、
該制御装置の設定を、前記陳列室の全体を同一の温度で使用する第１の制御状態と、上下異なる温度で使用する第２の制御状態とに切り換えるための設定切換スイッチとを備え、
前記制御装置は、前記設定切換スイッチによる設定と、前記両温度センサが検出する温度との間に矛盾が生じている場合、前記中間ダクト部材の取り付けに関する異常が発生しているものと判断することを特徴とするショーケース。
【請求項２】
前記制御装置は、前記中間ダクト部材を前記陳列室内に取り付けたときの、当該中間ダクト部材の上下における前記陳列室内の使用温度帯に応じて、前記中間ダクト部材の取り付けに関する異常の判断基準を変更することを特徴とする請求項１に記載のショーケース。
【請求項３】
前記制御装置は、前記第１の制御状態に設定されている場合、前記下部温度センサが検出する温度に基づいて前記陳列室内の温度制御を実行すると共に、
該下部温度センサに異常が発生した場合は、前記上部温度センサを用いて前記陳列室内の温度制御を実行することを特徴とする請求項１又は請求項２に記載のショーケース。
【請求項４】
前記制御装置は、前記両温度センサが検出する温度に所定の差違がある場合、前記下部温度センサに異常が発生しているものと判断することを特徴とする請求項３に記載のショーケース。
【請求項５】
前記制御装置は、前記第２の制御状態に設定されている場合、前記下部温度センサが検出する温度に基づいて前記中間ダクト部材より下方における前記陳列室内の温度制御を実行し、前記上部温度センサが検出する温度に基づいて前記中間ダクト部材より上方における前記陳列室内の温度制御を実行すると共に、
一方の前記温度センサに異常が発生した場合、予め計測されている上下の陳列室内の温度差を用いて、他方の前記温度センサにより、前記一方の温度センサが温度を検出すべき前記陳列室内の温度制御を実行することを特徴とする請求項１乃至請求項４のうちの何れかに記載のショーケース。
【請求項６】
前記制御装置は、前記異常を報知するための警報装置を備えていることを特徴とする請求項１乃至請求項５のうちの何れかに記載のショーケース。
【発明の詳細な説明】
【技術分野】
【０００１】
本発明は、背面ダクトと連通可能な中間ダクトを有する中間ダクト部材を陳列室内に取付、中間ダクト部材の上下において陳列室内を相互に異なる温度で使用可能とするショーケースに関する。
【背景技術】
【０００２】
従来よりスーパーマーケットやコンビニエンスストアなどに設置されるショーケースは、断熱壁の内側に間隔を存して設けた仕切板との間に冷気ダクトを構成し、仕切板の内側には陳列室を構成すると共に、冷気ダクトには冷却器と送風機を設置する。陳列室の開口上縁には冷気吐出口が、開口下縁には冷気吸込口がそれぞれ冷気ダクトに連通して形成される。これにより、送風機が運転されると冷却器と熱交換した冷気は開口上縁の冷気吐出口から吹き出され、開口下縁の冷気吸込口から冷気ダクト内に吸引される。
【０００３】
陳列室内には、複数段の棚が架設されており、各棚、若しくは、特定の棚には、内部に上記冷気ダクトと連通する中間ダクトが構成された中間ダクト部材が取り付けられている。この中間ダクトの上側、若しくは、当該中間ダクト部材の後端には、ダンパー部材が取り付けられている。
【０００４】
陳列室内を異なる二温度帯、例えば常温と冷蔵温度、冷蔵温度とそれよりも低いチルド温度として使用する場合には、当該温度帯を区画する棚の上側のダンパー部材を背面の冷気ダクト内に進出させる。
【０００５】
これにより、背面の冷気ダクトを上昇する冷却器を経た冷気は、ダンパー部材により温度帯を区画する棚の中間ダクト内に案内され、当該中間ダクトより下側の陳列室内を冷却する。他方、ダンパー部材により温度帯を区画する棚より上側には、冷却器を経た冷気が供給されないことから、当該棚より上側の陳列室内を常温など下側の陳列室内よりも高い温度帯として使用される（例えば、特許文献１参照）。
【０００６】
そして、このような二温度帯を実現することができるショーケースでは、設定切替スイッチと、陳列室内の温度を表示する表示部を備え、スイッチによって上下異なる温度で使用する状態を設定した場合、２つの温度表示部には陳列室内下部にて検出された温度と、上部にて検出された温度を表示する。
【０００７】
スイッチによって陳列室の全体を同一温度で使用する状態を設定した場合には、陳列室内下部に設けられた温度センサにより検出された温度のみを温度表示部に表示する。これは、異なる位置に設けられる温度センサにより検出された温度がそれぞれ温度表示部に表示されることで、異なる温度が表示される不都合を回避するためである。
【先行技術文献】
【特許文献】
【０００８】
【特許文献１】特開２００９−７２２８２号公報
【発明の概要】
【発明が解決しようとする課題】
【０００９】
二温度帯使用と、全体を同一温度として使用する一温度帯使用とは、ダンパー部材の冷気ダクト内への進退操作（開閉操作）によって相互に変更可能とされるが、使用者によっては、上記設定切替スイッチのみを変更し、ダンパー部材を操作しなかった場合には、適切な二温度帯使用又は一温度帯使用を実現することができない。
【００１０】
特に、一温度帯使用を行う場合には、通常の中間ダクトを有しない棚のみを使用し、二温度帯使用を行う場合には、冷気ダクト内に進出するダンパー部材を有する中間ダクト部材を備えた棚を架設することによって、使用態様の変更を実現するショーケースでは、ダクト部材を有する棚の着脱が確実に行われないと、二温度帯使用と一温度帯使用の変更を適切に行うことができないこととなる。
【００１１】
そのため、ダンパー部材の冷気ダクト内への進退を検出するダンパーセンサを設けることも考えられるが、ダンパー部材が設けられる棚全てに、ダンパーセンサを設けなければならない。また、上述したように中間ダクト部材を備えた棚の着脱によって二温度帯使用と一温度帯仕様の変更を行う場合には、当該棚の架設位置となる複数の位置にダンパーセンサを設けなければならず、コストの高騰を招来する。
【００１２】
本発明は、従来の技術的課題を解決するためになされたものであり、中間ダクト部材の着脱検出スイッチを設けることなく、設定状況と、実際の陳列室内の温度状況とから中間ダクト部材の着脱異常を検知することができるショーケースを提供する。
【課題を解決するための手段】
【００１３】
上記課題を解決するために、本発明のショーケースは、前面に開口する陳列室内に背面ダクトを介して冷気を循環することで陳列室内を冷却すると共に、背面ダクトに連通可能な中間ダクトを有する中間ダクト部材を陳列室内に着脱可能に取り付け、この中間ダクト部材の上下において、陳列室内を相互に異なる温度で使用可能とされたものであって、陳列室内に取り付けられた状態の中間ダクト部材より下方となる位置の陳列室内の温度を検出する下部温度センサと、陳列室内に取り付けられた状態の中間ダクト部材より上方となる位置の陳列室内の温度を検出する上部温度センサと、これら温度センサが接続された制御装置と、この制御装置の設定を、陳列室の全体を同一の温度で使用する第１の制御状態と、上下異なる温度で使用する第２の制御状態とに切り換えるための設定切換スイッチとを備え、制御装置は、設定切換スイッチによる設定と、両温度センサが検出する温度との間に矛盾が生じている場合、中間ダクト部材の取り付けに関する異常が発生しているものと判断することを特徴とする。
【００１４】
請求項２の発明は、上記において、制御装置は、中間ダクト部材を陳列室内に取り付けたときの、当該中間ダクト部材の上下における陳列室内の使用温度帯に応じて、中間ダクト部材の取り付けに関する異常の判断基準を変更することを特徴とする。
【００１５】
請求項３の発明は、上記各発明において、制御装置は、第１の制御状態に設定されている場合、下部温度センサが検出する温度に基づいて陳列室内の温度制御を実行すると共に、この下部温度センサに異常が発生した場合は、上部温度センサを用いて陳列室内の温度制御を実行することを特徴とする。
【００１６】
請求項４の発明は、上記において、制御装置は、両温度センサが検出する温度に所定の差違がある場合、下部温度センサに異常が発生しているものと判断することを特徴とする。
【００１７】
請求項５の発明は、上記各発明において、制御装置は、第２の制御状態に設定されている場合、下部温度センサが検出する温度に基づいて中間ダクト部材より下方における陳列室内の温度制御を実行し、上部温度センサが検出する温度に基づいて中間ダクト部材より上方における陳列室内の温度制御を実行すると共に、一方の温度センサに異常が発生した場合、予め計測されている上下の陳列室内の温度差を用いて、他方の温度センサにより、一方の温度センサが温度を検出すべき陳列室内の温度制御を実行することを特徴とする。
【００１８】
請求項６の発明は、上記各発明において、制御装置は、異常を報知するための警報装置を備えていることを特徴とする。
【発明の効果】
【００１９】
本発明によれば、前面に開口する陳列室内に背面ダクトを介して冷気を循環することで陳列室内を冷却すると共に、背面ダクトに連通可能な中間ダクトを有する中間ダクト部材を陳列室内に着脱可能に取り付け、この中間ダクト部材の上下において、陳列室内を相互に異なる温度で使用可能とされたショーケースにおいて、陳列室内に取り付けられた状態の中間ダクト部材より下方となる位置の陳列室内の温度を検出する下部温度センサと、陳列室内に取り付けられた状態の中間ダクト部材より上方となる位置の陳列室内の温度を検出する上部温度センサと、これら温度センサが接続された制御装置と、この制御装置の設定を、陳列室の全体を同一の温度で使用する第１の制御状態と、上下異なる温度で使用する第２の制御状態とに切り換えるための設定切換スイッチとを備え、制御装置は、設定切換スイッチによる設定と、両温度センサが検出する温度との間に矛盾が生じている場合、中間ダクト部材の取り付けに関する異常が発生しているものと判断することにより、中間ダクト部材の着脱検出スイッチを格別に設けることなく、中間ダクト部材の取り付けに関する異常を判断することができる。
【００２０】
異常の発生を判断した場合には、制御装置は、請求項６の発明の如き警報装置により当該異常の発生を使用者に報知することができ、中間ダクト部材の取り付け異常に迅速に対応することが可能となる。
【００２１】
請求項２の発明によれば、上記において、制御装置は、中間ダクト部材を陳列室内に取り付けたときの、当該中間ダクト部材の上下における陳列室内の使用温度帯に応じて、中間ダクト部材の取り付けに関する異常の判断基準を変更することにより、適切な異常検知を実現することができる。
【００２２】
具体的には、使用温度帯を高めの冷蔵温度と低めの冷蔵温度（チルド）とする場合には、異常判断となる温度差（閾値）を小さく、温蔵温度と冷却温度とする場合には、異常判断となる温度差（閾値）を大きくする。これにより、より円滑に、且つ、適切な異常検知を実現できる。
【００２３】
請求項３の発明によれば、上記各発明に加えて、制御装置は、第１の制御状態に設定されている場合、下部温度センサが検出する温度に基づいて陳列室内の温度制御を実行すると共に、この下部温度センサに異常が発生した場合は、上部温度センサを用いて陳列室内の温度制御を実行することにより、下部温度センサが復帰するまでの間、ショーケースの運転を停止、又は、連続運転とすることなく、上部温度センサによって下部温度センサを代用して運転継続を行うことが可能となる。
【００２４】
請求項４の発明によれば、上記に加えて、制御装置は、両温度センサが検出する温度に所定の差違がある場合、下部温度センサに異常が発生しているものと判断することにより、下部温度センサの異常を適切に判断することができる。
【００２５】
請求項５の発明によれば、上記各発明に加えて、制御装置は、第２の制御状態に設定されている場合、下部温度センサが検出する温度に基づいて中間ダクト部材より下方における陳列室内の温度制御を実行し、上部温度センサが検出する温度に基づいて中間ダクト部材より上方における陳列室内の温度制御を実行すると共に、一方の温度センサに異常が発生した場合、予め計測されている上下の陳列室内の温度差を用いて、他方の温度センサにより、一方の温度センサが温度を検出すべき陳列室内の温度制御を実行することにより、二温度帯使用を行う場合であっても、異常発生した温度センサが復帰するまでの間、ショーケースの運転を停止、又は、連続運転とすることなく、他方の温度センサにより検出された温度に基づいて適切な温度制御を継続して行うことが可能となる。
【００２６】
請求項６の発明によれば、上記各発明に加えて、制御装置は、異常を報知するための警報装置を備えているので、異常判断時に警報装置によって使用者に異常を報知することで、迅速に故障解消に対応することが可能となる。
【図面の簡単な説明】
【００２７】
【図１】本発明を適用したショーケースの縦断側面図である。
【図２】制御装置の電気ブロック図である。
【発明を実施するための形態】
【００２８】
以下、本発明の実施形態を図面に基づき詳細に説明する。図１は本発明を適用したショーケース１の縦断側面図（上から４段目の棚２５に中間ダクト部材５０を取り付けた状態）を示している。本実施例におけるショーケースは、陳列室１１内上部を例えば、弁当などの加工食品を高めの冷蔵温度（例えば＋１６℃〜＋２０℃）とし、陳列室１１内下部を例えば、飲料、その他の低めの冷蔵温度（所謂チルド、例えば＋３℃〜＋７℃）とする相互に異なる温度で使用可能とするものである。尚、使用温度は、当該温度に限定されるものではない。
【００２９】
ショーケース１は前面に開口する断面略コ字状の断熱壁３と、その両側に取り付けられた図示しない側板によって本体５が構成されており、この断熱壁３の内側には背面から天面に渡って間隔を存して仕切板６が配設され、当該仕切板６と断熱壁３間には背面ダクト７が構成されている。そして、仕切板６の下端には、前方に延在するデックパン１０が設けられており、これら仕切板６、デックパン１０の内側に陳列室１１が構成されている。
【００３０】
断熱壁３の前面開口２の上縁には背面ダクト７の前端に連通する冷気吐出口１４が設けられている。尚、この冷気吐出口１４の前面、即ち、断熱壁３の上部前面には、少なくとも二つの温度表示部（後述する上部の陳列室１１用の温度表示部４２と、下部の陳列室１１用の温度表示部４３）と、警報装置を構成する警報表示部４５が設けられている。
【００３１】
そして、デックパン１０の下方には背面ダクト７に連通する下部ダクト１２が構成されており、この下部ダクト１２の前端は陳列室１１の前面開口下縁に位置すると共に、複数のスリットから成る冷気吸込口１３と連通している。
【００３２】
デックパン１０の下方の下部ダクト１２内には冷気送給用の送風機４が配設され、陳列室１１の背面ダクト７内には冷却装置の冷凍サイクルを構成する冷却器８が縦設されている。
【００３３】
本実施例では、上述したように同一の陳列室１１内にて高めの冷蔵温度と、低めの冷蔵温度（チルド）に冷却制御可能とするものであるため、冷却器８を通過した冷気の背面ダクト７上方への流入を任意に制限可能とする冷却器カバー２１が当該冷却器８に設けられている。
【００３４】
即ち、下部ダクト１２に設けられた送風機４のファンケース４Ａは、背面ダクト７下部にまで延在して構成されており、当該ファンケース４Ａの両側部には、背面ダクト７の両側部において開口する冷気流出口２２が形成されている。この冷気流出口２２は、冷却器カバー２１の両側方において直接、背面ダクト７内と連通して構成される。なお、この冷気流出口２２は、図示しないカバーによって開閉自在に閉塞可能とされる。また、当該ファンケース４Ａの背面ダクト７の下部に位置する上面には、冷却器カバー２１内と連通する図示しない連通孔が形成されている。
【００３５】
冷却器カバー２１は、その上端が背面ダクト７の略中央部、本実施例では、下から３段目に相当する棚の後方上部に対応する位置まで延在して構成されており、該上端は閉塞されている。そして、冷却器カバー２１は冷却器８の前面と所定間隔を存して設けられると共に、該冷却器カバー２１の前面は、背面ダクト７を構成する仕切板６との間に所定の間隔を存して設けられる。この仕切板６と冷却器カバー２１との間隔には、冷気通路２４が形成され、冷却器８を経た後の冷気を該冷気通路２４内に流入させるための冷気流出口２３が冷却器カバー２１の前面下部に形成されている。
【００３６】
一方、陳列室１１内には棚３０が複数段、本実施例では６段架設されている。各棚３０はブラケット３１と当該ブラケット３１に支持される棚板３２とから構成される。この棚板３２は金属板から成り、その商品載置面の裏側には加温用ヒータＨ（電気ヒータ。図２参照）が取り付けられている。加温使用時にはこの加温用ヒータＨが発熱して棚板３２上の商品を加熱保温する。
【００３７】
ブラケット３１の後端には係合爪３１Ａが複数形成されており、この係合爪３１Ａを陳列室１１内の左右に上下に渡って取り付けられた図示しない支柱の係合孔に係脱自在に係合させることで、ブラケット３１は陳列室１１内に所定の高さの位置に左右一対ずつ取り付けられる。
【００３８】
本実施例において、上から４段目に架設される棚３０には、中間ダクト部材３５が設けられている。以後、中間ダクト部材３５が設けられた棚３０は、棚３０Ａと称する。この中間ダクト部材３５は、内部に中間ダクト３８を構成する内部中空の矩形体により構成されており、棚３０Ａのブラケット３１、３１の内側に、棚板３２の下側に位置して取り付けられている。尚、棚３０Ａが陳列室１１内に着脱可能とされることで、当該中間ダクト部材３５は、陳列室１１内に着脱可能とされる。尚、棚３０Ａに対して、当該中間ダクト部材３５が着脱可能な構成としても良い。
【００３９】
この前端は、棚板３２の前端若しくは、当該前端よりも前方まで延在して構成され、下面前端には左右方向に延在して下向きに開口した中間冷気吐出口３６が形成されている。そして、この中間ダクト部材３５の後端は、棚板３２の後端よりも後方まで延在しており、当該後端下部には、後ろ向きに開口した連通部３７が形成されている。
【００４０】
ここで、棚３０Ａに取り付けられる中間ダクト部材３５の連通部３７に対応する位置の仕切板には、左右に渡って背面ダクト７と、中間ダクト部材３５内に形成される中間ダクト３８とを連通するための連通孔４０が形成されている。尚、当該連通孔４０は、上から４段目に架設される棚３０Ａに対応する位置のみならず、本実施例では、当該棚３０Ａの下側に架設される棚３０・・に対応する位置にも形成されており、不使用時には、閉塞されている。また、これ以外にも、仕切板６を複数枚の板材を重ね合わせて構成し、これらの板材の重ね合わせ位置を調整することによって、連通孔４０の形成位置を変更する構成としても良い。
【００４１】
そして、この中間ダクト部材３５の連通部３７の上方には、仕切板６の連通孔４０を介して背面ダクト７（本実施例では、当該背面ダクト７内下部に形成される冷気通路２４）内に進出し、当該背面ダクト７を閉塞するダンパー部材３９が設けられている。
【００４２】
そのため、当該中間ダクト部材３５が設けられた棚３０Ａが陳列室１１内に架設された場合、中間ダクト部材３５の後端に設けられたダンパー部材３９が仕切板６の連通孔４０を介して背面ダクト７内に進出し、ダンパー部材３９下方から上昇してきた冷気は、それより上方への上昇が阻止されて連通部３７を介して中間ダクト３８内に流入する。
【００４３】
一方、本実施例におけるショーケース１は、上記冷却器８と共に冷凍サイクルを構成する圧縮機１５（図２のみ図示する）、凝縮器、凝縮器用送風機１６（図２のみ図示する）等は、該ショーケース１とは別置きに例えば、店舗内の機械室などに設けられている。
【００４４】
そして、冷凍サイクルを構成する冷却装置は、圧縮機１５と、凝縮器、減圧装置としての電動膨張弁（若しくは電磁弁）１７（図２のみ図示する）、冷却器８が順次接続されて、環状の冷凍サイクルを構成している。
【００４５】
次に、図２を参照して本実施例におけるショーケース１の制御装置２０について詳述する。本実施例において制御装置２０は、汎用のマイクロコンピュータにより構成されており、記憶部としてのメモリ２５を内蔵している。
【００４６】
この制御装置２０の入力側には、コントロールパネル２９と、設定切替スイッチ２６と、陳列室１１内上部の温度を検出する上部温度センサ２７及び、陳列室１１内下部の温度を検出する下部温度センサ２８が接続されている。設定切替スイッチ２６は、陳列室１１内全体を同一の温度で使用する第１の制御状態と、陳列室１１内を上下異なる温度で使用する第２の制御状態とで任意に切替可能に設定するスイッチである。
【００４７】
本実施例では、上記冷却装置及び加温用ヒータＨが設けられているため、第１の制御状態では、冷蔵使用及び温蔵使用が可能であり、何れの場合であってもコントロールパネル２９にて任意の温度に設定可能とされる。また、第２の制御状態では、陳列室１１内上下を異なる温度帯として、上下異なる温度の冷蔵使用及び上下で冷蔵・温蔵使用が可能である。
【００４８】
また、本実施例において、陳列室１１内上部の温度を検出する上部温度センサ２７は、何れの高さに中間ダクト部材３５を備えた棚３０Ａを設けても陳列室内上部に相当する位置として、仕切板６の天面に配設されている。そして、陳列室１１内下部の温度を検出する下部温度センサ２８は、何れの高さに中間ダクト部材３５を備えた棚３０Ａを設けても陳列室内下部に相当する位置として、仕切板６の背面下部に配設されている。尚、位すれのセンサも、取付位置はこれに限定されるものではなく、使用形態においてそれぞれ中間ダクト部材３５より上方となる位置の陳列室１１内温度を検出可能とする位置及び中間ダクト部材３５より下方となる位置の陳列室１１内温度を検出可能とする位置に設けられていればよい。
【００４９】
一方、制御装置２０の出力側には、冷却装置を構成する圧縮機１５、膨張弁１７、送風機４、１６及び各棚３０、３０Ａに配設された加温用ヒータＨ、上部の陳列室１１用の温度表示部４２、下部の陳列室１１用の温度表示部４３及び警報表示部４５が接続されている。尚、本実施例では、警報装置として警報表示部４５を採用しているが、これに限定されるものではなく、ブザーなどであっても良い。
【００５０】
以上の構成により、使用態様の場合に分けて説明する。先ず初めに、陳列室１１内を中間ダクト部材３５の上下において相互に異なる温度で使用する場合について説明する。この場合、使用者は、予め設定切換スイッチ２６を陳列室１１内を上下異なる温度で使用する第２の制御状態に設定する。
【００５１】
そして、異なる温度として陳列室１１内の上部と下部とを区画して使用する高さ位置に上述したような中間ダクト部材３５を備えた棚３０Ａを架設する。コントロールパネル２９により、中間ダクト部材３５より上方となる位置の陳列室（以下、上陳列室１１Ａとする）及び中間ダクト部材３５より下方となる位置の陳列室（以下、下陳列室１１Ｂとする）のそれぞれの温度を設定する。
【００５２】
（１）上下異なる温度の冷蔵使用
ここで、上述したように、上下異なる温度の冷蔵使用を行う場合には、上陳列室１１Ａの設定温度を下陳列室１１Ｂの設定温度より高い温度として設定する。一例として、ここでは、上陳列室１１Ａの設定温度を高めの冷蔵温度（例えば＋１８℃（±２℃））とし、下陳列室１１Ｂの設定温度を低めの冷蔵温度（所謂チルド、例えば＋５℃（±２℃））と設定する。
【００５３】
本実施例では、上から４段目となる棚３０Ａに中間ダクト部材３５が設けられているため、当該中間ダクト部材３５の設置高さにてダンパー部材３９が背面ダクト７内に進入し、当該ダンパー部材３９の後端が冷却器カバー２１の前面に当接し、冷気通路２４を閉塞する。
【００５４】
これにより、制御装置２０により圧縮機１５及び送風機４が運転されると、下部ダクト１２内に吸い込まれた冷気は、ファンケース４Ａ後部から吐出され、その一部は、ファンケース４Ａの冷却器カバー２１内と連通する図示しない連通孔内に流入し、黒塗り矢印にて示すように、冷却器８内を通過し、冷却器カバー２１前壁後面に沿って降下した後、冷気流出口２３から冷却器カバー２１の前面と仕切板６との間に形成された冷気通路２４内に流入し、当該冷気通路２４を上昇する。
【００５５】
冷気通路２４内を上昇した低温の冷気は、ダンパー部材３９にてそれより上方への上昇が制限され、仕切板６に形成された連通孔４０を介して中間ダクト部材３５の連通部３７より中間ダクト３８内に流入する。中間ダクト３８内に流入した冷気は、当該中間ダクト部材３５の前端に形成された中間冷気吐出口３６より、陳列室１１の前面開口２下縁に形成された冷気吸込口１３に向けて吹き出される。
【００５６】
これにより、中間ダクト部材３５の前端下面に形成された中間冷気吐出口３６から吐出された冷気は、該中間ダクト部材３５が設けられた棚３０Ａより下側の下陳列室１１Ｂの前面開口に冷気エアーカーテンを形成しながら当該下陳列室１１Ｂ内を冷却する。そして、冷気吸込口１３から下部ダクト１２に吸引され、再び送風機４に吸い込まれる循環を繰り返す。
【００５７】
従って、中間ダクト部材３５が設けられた棚３０Ａより下側の下陳列室１１Ｂ内は、当該棚３０Ａの下側に取り付けられる中間ダクト部材３５を介して前面開口に冷気供給されることにより、低めの冷蔵温度を設定温度とする冷蔵使用することができる。
【００５８】
他方、このとき、冷気流出口２２のカバーは開放されているため、ファンケース４Ａ内に流入した冷気の内の一部は、当該ファンケース４Ａの両側部に開口して形成された冷気流出口２２、２２を介して冷却器８を経ることなく背面ダクト７上方に吹き上げられる（白抜き矢印）。
【００５９】
背面ダクト７上方に吹き上げられた比較的温度の高い冷気は、陳列室１１の前面開口２上縁に形成された冷気吐出口１４より、陳列室１１の前面開口２下縁に形成された冷気吸込口１３に向けて吹き出される。
【００６０】
これにより、冷気吐出口１４から吐出された冷気は、上陳列室１１Ａ及び下陳列室１１Ｂの前面開口に冷気エアーカーテンを形成しながら主として上陳列室１１Ｂ内を冷却する。そして、冷気吸込口１３から下部ダクト１２に吸引され、再び送風機４に吸い込まれる循環を繰り返す。
【００６１】
本実施例では、このような第２の制御状態に設定されている場合において、制御装置２０は下陳列室１１Ｂ内に位置する下部温度センサ２８により検出される温度に基づいて、下陳列室１１Ｂ内の温度が予め設定された低めの冷蔵温度となるように、冷却装置の膨張弁１７の開度制御や圧縮機１５の運転制御、更には、送風機４の運転制御を行う。このとき、制御装置２０は下陳列室１１Ｂ内の温度を表示する温度表示部４３に下部温度センサ２８により検出された温度を表示する。
【００６２】
そして、上陳列室１１Ａ内は、上述したような温度制御が行われる下陳列室１１Ｂ内を冷却し下部ダクト１２内に帰還した冷気の一部であって、冷却器８を経ず供給される冷気によって冷却される。本実施例では、上陳列室１１Ａ内が設定された高めの冷蔵温度よりも大きく下回ることを防止するため、制御装置２０は、温度補償として中間ダクト部材３５より上方となる位置に架設される棚３０Ａ、及び（この場合、上から１段目乃至３段目の）棚３に配設された加温用ヒータＨを通電制御し、上陳列室１１Ａ内を予め設定された高めの冷蔵温度となるように温度制御を実行する。このとき、制御装置２０は上陳列室１１Ａ内の温度を表示する温度表示部４２に上部温度センサ２７により検出された温度を表示する。
【００６３】
ここで、制御装置２０は、上述した如き設定切替スイッチ２６による設定と、両温度センサ２７、２８により検出された温度とを比較し、矛盾が生じているか否かを判断する。この場合、設定切替スイッチ２６による設定は、上述したように陳列室１１内を上下異なる温度で使用する第２の制御状態としている。そして、コントロールパネル２９にて設定された上下陳列室１１Ａ、１１Ｂそれぞれの設定温度は、異なる冷蔵温度であり、この場合、高めの冷蔵温度（例えば＋１８℃）と、低めの冷蔵温度（チルド。例えば＋５℃）である。
【００６４】
そのため、設定通りの状況であれば、即ち、中間ダクト部材３５が適切に取り付けられていれば、上部温度センサ２７及び下部温度センサ２８にて検出された温度の差は、所定の範囲（上記の場合１３℃±４℃程度）となる。
【００６５】
しかし、両温度センサ２７、２８にて検出された温度の差が、異常の判断基準となる略近似と判断される温度差（閾値。例えば５℃）である場合には、設定切替スイッチ２６による設定と、実際の検出温度との間に矛盾が生じていることとなる。
【００６６】
この場合、制御装置２０は、中間ダクト部材３５の取り付けに関する異常、即ち、確実に中間ダクト部材３５が取り付けられておらず、背面ダクト７内の冷気通路２４をダンパー部材３９にて閉塞できていない状況が発生しているものと判断する。そして、制御装置２０は、異常の発生を判断した場合には、警報表示部４５により当該異常の発生を使用者に報知する。
【００６７】
これにより、中間ダクト部材３５の着脱検出スイッチを格別に設けることなく、制御装置２０は、設定切替スイッチ２６による設定と、両温度センサ２６、２７により検出された温度の差から中間ダクト部材３５の取付に関する異常を判断することができる。これに基づき、警報表示を行うことにより、使用者は、中間ダクト部材３５の取り付け異常、この場合、中間ダクト部材３５が適切に取り付けられていない状況を把握でき、迅速に中間ダクト部材３５の適切な取付を実現できる。
【００６８】
また、制御装置２０は、上部温度センサ２７と下部温度センサ２８にて検出された温度のうち、一方の温度センサが、設定温度よりも著しく逸脱した温度を検出している場合には、予め計測されている上下の陳列室１１Ａ、１１Ｂ内の温度差を用いて、他方の温度センサにより、一方の温度センサが温度を検出すべき陳列室内の温度制御を実行する。
【００６９】
即ち、下部温度センサ２８が故障等により異常温度を検出している場合には、上部温度センサ２７により検出された温度に、予め計測されており、メモリ２５に記憶されている上下の陳列室１１Ａ、１１Ｂ内の温度差（設定通りであれば高めの冷蔵温度である＋１８℃と低めの冷蔵温度である＋５℃との差）を加えて、下部温度センサ２８が温度を検出すべき陳列室、即ち下陳列室１１Ｂ内の温度制御を実行する。
【００７０】
また、上部温度センサ２７が故障等により異常温度を検出している場合には、下部温度センサ２８により検出された温度に、予め計測されており、メモリ２５に記憶されている上下の陳列室１１Ａ、１１Ｂの温度差を減算して、上部温度センサ２７が温度を検出すべき陳列室、即ち上陳列室１１Ａ内の温度制御を実行する。
【００７１】
このような温度制御を行う場合には、制御装置２０は、温度センサ２７又は２８に異常が発生していることを警報表示部４５に表示し、使用者に温度センサの異常を報知する。そのため、迅速に故障解消に対応することが可能となる。
【００７２】
これにより、異常を発生した温度センサが復帰するまでの間、ショーケース１の運転を停止、又は、連続運転とすることなく、他方の温度センサにより検出された温度に基づいて適切な温度制御を継続して行うことが可能となる。
【００７３】
（２）上下で冷蔵使用と温蔵使用
一方、上下で冷蔵使用と温蔵使用とを行う場合には、上陳列室１１Ａを温蔵使用とし、下陳列室１１Ｂを冷蔵使用とする。本実施例では、上記と同様、棚３０Ａに中間ダクト部材３５が設けられているため、当該中間ダクト部材３５の設置高さにてダンパー部材３９が背面ダクト７内に進入し、当該ダンパー部材３９の後端が冷却器カバー２１の前面に当接し、冷気通路２４を閉塞する。また、ファンケース４Ａに形成された冷気流出口２２はカバーにて閉塞する。
【００７４】
これにより、制御装置２０により圧縮機１５及び送風機４が運転されると、下部ダクト１２内に吸い込まれた冷気は、ファンケース４Ａの冷却器カバー２１内と連通する図示しない連通孔内に流入し、冷却器８内を通過して冷気通路２４を上昇する。冷気通路２４内を上昇した冷気は、ダンパー部材３９にてそれより上方への上昇が制限され、仕切板６に形成された連通孔４０を介して中間ダクト部材３５の連通部３７より中間ダクト３８内に流入する。中間ダクト３８内に流入した冷気は、当該中間ダクト部材３５の前端に形成された中間冷気吐出口３６より、陳列室１１の前面開口２下縁に形成された冷気吸込口１３に向けて吹き出され、これによって、中間ダクト部材３５が設けられた棚３０Ａより下側の下陳列室１１Ｂが冷却される。そして、冷気吸込口１３から下部ダクト１２に吸引され、再び送風機４に吸い込まれる循環を繰り返す。
【００７５】
これにより、下陳列室１１Ｂ内は、下部温度センサ２８により検出される温度に基づいて、下陳列室１１Ｂ内の温度が予め設定された冷蔵温度となるように、冷却装置の膨張弁１７の開度制御や圧縮機１５の運転制御、更には、送風機４の運転制御を行う。このとき、制御装置２０は下陳列室１１Ｂ内の温度を表示する温度表示部４３に下部温度センサ２８により検出された温度を表示する。
【００７６】
他方、冷気流出口２２のカバーは閉塞されているため、背面ダクト７上方には、冷気が吐出されない。この状態で、制御装置２０は、上部温度センサ２７により検出される温度に基づいて、中間ダクト部材３５より上方となる位置に架設される棚３０Ａ、及び（この場合、上から１段目乃至３段目の）棚３に配設された加温用ヒータＨを通電制御し、上陳列室１１Ａ内を予め設定された温蔵温度となるように温度制御を実行する。このとき、制御装置２０は上陳列室１１Ａ内の温度を表示する温度表示部４２に上部温度センサ２７により検出された温度を表示する。
【００７７】
この場合においても、制御装置２０は、上述した如き設定切替スイッチ２６による設定と、両温度センサ２７、２８により検出された温度とを比較し、矛盾が生じているか否かを判断する。この場合、設定切替スイッチ２６による設定は、上述したように陳列室１１内を上下異なる温度で使用する第２の制御状態としている。そして、コントロールパネル２９にて設定された上陳列室１１Ａの設定温度は、温蔵温度、下陳列室１１Ｂの設定温度は、冷蔵温度である。
【００７８】
そのため、設定通りの状況であれば、即ち、中間ダクト部材３５が適切に取り付けられていれば、上部温度センサ２７及び下部温度センサ２８にて検出された温度の差は、冷蔵温度と温蔵温度の差となるため、上記の場合に比べ大きくなる（例えば３０℃以上）。
【００７９】
しかし、両温度センサ２７、２８にて検出された温度の差が小さい場合には、設定切替スイッチ２６による設定と、実際の検出温度との間に矛盾が生じていることとなる。ここで、異常の判断基準となる近似範囲は、上述したような上下陳列室内が共に冷蔵温度である場合には小さいが、この場合、上下陳列室内で設定された使用温度帯が異なるため、制御装置２０は、当該異常の判断基準となる温度差（閾値）は、より大きくする。
【００８０】
このように、設定切替スイッチ２６による設定と、実際の検出温度との間に矛盾が生じている場合には、制御装置２０は、中間ダクト部材３５の取り付けに関する異常、即ち、確実に中間ダクト部材３５が取り付けられておらず、背面ダクト７内の冷気通路２４をダンパー部材３９にて閉塞できていない状況が発生しているものと判断する。そして、制御装置２０は、異常の発生を判断した場合には、警報表示部４５により当該異常の発生を使用者に報知する。
【００８１】
これにより、中間ダクト部材３５の着脱検出スイッチを格別に設けることなく、制御装置２０は、設定切替スイッチ２６による設定と、両温度センサ２６、２７により検出された温度の差から中間ダクト部材３５の取付に関する異常を判断することができる。これに基づき、警報表示を行うことにより、使用者は、中間ダクト部材３５の取り付け異常、この場合、中間ダクト部材３５が適切に取り付けられていない状況を把握でき、迅速に中間ダクト部材３５の適切な取付を実現できる。
【００８２】
このように、本実施例では、異常判断となる温度差（閾値）を使用温度帯が高めの冷蔵温度と低めの冷蔵温度（チルド）とする場合には、小さく、温蔵温度と冷却温度とする場合には、を大きく設定することにより、より円滑に、且つ、適切な異常検知を実現できる。
【００８３】
（３）陳列室内全体を同一の温度で使用
次に、陳列室１１内全体を同一の温度で使用する場合について説明する。この場合、使用者は、予め設定切換スイッチ２６を陳列室１１内全体を同一の温度で使用する第１の制御状態に設定する。そして、中間ダクト部材３５を備えた棚３０Ａは、陳列室１１内から取り外す。コントロールパネル２９により、当該陳列室１１の温度を設定する。
【００８４】
ここでは、一例として陳列室１１内全体を冷蔵使用する場合について説明する。尚、冷蔵使用の場合に限らず、陳列室１１内全体を温蔵使用する場合についても同様とする。制御装置２０によって圧縮機１５及び送風機４が運転される。これにより、下部ダクト１２内に吸い込まれ、冷気流出口２２及び、冷却器８を通過して冷気通路２４から上方に吹き出された冷気は、背面ダクト７内を上昇し、陳列室１１の前面開口２上縁に形成された冷気吐出口１４より、陳列室１１の前面開口２下縁に形成された冷気吸込口１３に向けて吹き出される。
【００８５】
これにより、冷気吐出口１４から吐出された冷気は、陳列室１１の前面開口に冷気エアーカーテンを形成しながら当該陳列室１１内を冷却する。そして、冷気吸込口１３から下部ダクト１２に吸引され、再び送風機４に吸い込まれる循環を繰り返す。
【００８６】
本実施例では、このような第１の制御状態に設定されている場合において、制御装置２０は陳列室１１内下部に配設された下部温度センサ２８により検出される温度に基づいて、陳列室１１内の温度が予め設定された冷蔵温度となるように、冷却装置の膨張弁１７の開度制御や圧縮機１５の運転制御、更には、送風機４の運転制御を行う。このとき、制御装置２０は何れか一方の温度表示部４２又は４３のみに、下部温度センサ２８により検出された温度を表示し、他方の温度表示部４３又は４２には、温度表示を行わない。
【００８７】
ここで、制御装置２０は、上述した如き設定切替スイッチ２６による設定と、陳列室１１内上部に配設される上部温度センサ２７及び陳列室１１内下部に配設される下部温度センサ２８により検出された温度とを比較し、矛盾が生じているか否かを判断する。この場合、設定切替スイッチ２６による設定は、上述したように陳列室１１内全体を同一の温度で使用する第１の制御状態としている。
【００８８】
そのため、設定通りの状況であれば、即ち、中間ダクト部材３５が適切に取り外されていれば、上部温度センサ２７及び下部温度センサ２８にて検出された温度の差は、略近似した温度差となる。
【００８９】
しかし、両温度センサ２７、２８にて検出された温度の差が、異常の判断基準となる所定の範囲（例えば、高めの冷蔵温度である１８℃と低めの冷蔵温度である５℃との差程度）である場合には、設定切替スイッチ２６による設定と、実際の検出温度との間に矛盾が生じていることとなる。
【００９０】
この場合、制御装置２０は、中間ダクト部材３５の取り付けに関する異常、即ち、確実に中間ダクト部材３５が取り外されておらず、背面ダクト７内の冷気通路２４がダンパー部材３９にて閉塞されている状況が発生しているものと判断する。そして、制御装置２０は、異常の発生を判断した場合には、警報表示部４５により当該異常の発生を使用者に報知する。
【００９１】
かかる場合においても、中間ダクト部材３５の着脱検出スイッチを格別に設けることなく、制御装置２０は、設定切替スイッチ２６による設定と、両温度センサ２６、２７により検出された温度の差から中間ダクト部材３５の取付に関する異常を判断することができる。これに基づき、警報表示を行うことにより、使用者は、中間ダクト部材３５の取り付け異常、この場合、中間ダクト部材３５が適切に取り外されていない状況を把握でき、迅速に中間ダクト部材３５の適切な撤去を実現できる。
【００９２】
また、当該第１の制御状態に設定されている場合には、通常、上述したように下部温度センサ２８が検出する温度に基づいて陳列室１１内の温度制御を実行しているが、当該下部温度センサ２８が設定温度よりも著しく逸脱した温度を検出している場合、若しくは、上部温度センサ２７が検出する温度と下部温度センサ２８が検出する温度に所定の差異、例えば１０℃以上の温度差がある場合には、制御装置２０は、下部温度センサ２８に異常が発生したものと判断する。
【００９３】
そして、制御装置２０は、下部温度センサ２８の代用として上部温度センサ２７が検出する温度に基づいて、陳列室１１内の温度制御を実行する。これにより、下部温度センサ２８が復帰するまでの間、ショーケース１の運転を停止、又は、連続運転とすることなく、上部温度センサ２７によって下部温度センサ２８を代用して運転継続を行うことが可能となる。
【００９４】
また、このような温度制御を行う場合には、制御装置２０は、下部温度センサ２８に異常が発生していることを警報表示部４５に表示し、使用者に温度センサの異常を報知する。そのため、迅速に故障解消に対応することが可能となる。
【００９５】
尚、上記において、制御装置２０は、両温度センサ２７、２８が検出する温度に所定の差違がある場合に、下部温度センサ２８に異常が発生しているものと判断する。そのため、下部温度センサ２８により検出された温度が著しく設定温度よりも逸脱した温度となる前に、下部温度センサ２８の異常を適切に判断することができる。これにより、迅速な対応を実現することができる。
【符号の説明】
【００９６】
Ｈ    加温用ヒータ（電気ヒータ）
１    ショーケース
２    開口
３    断熱壁
４    送風機
４Ａ  ファンケース
６    仕切板
７    背面ダクト
８    冷却器
１１    陳列室
１２    下部ダクト
１３    冷気吸込口
１４    冷気吐出口
１５    圧縮機
１７    膨張弁（若しくは電磁弁）
２０    制御装置
２１    冷却器カバー
２２    冷気流出口
２３    冷気流出口
２４    冷気通路
２６    設定切替スイッチ
２７    上部温度センサ
２８    下部温度センサ
２９    コントロールパネル
３０    棚
３０Ａ  棚（中間ダクト部材を有する）
３５    中間ダクト部材
３６    中間冷気吐出口
３７    連通部
３８    中間ダクト
３９    ダンパー部材
４０    連通孔
４２    温度表示部（上部用）
４３    温度表示部（下部用）
４５    警報表示部（警報装置）
【図１】
0005538055.tif 000002
【図２】
0005538055.tif 000003